(57)【要約】      （修正有）【課題】キセノンランプ組付け時に電源ソケットを保留して保護作用を達成でき、製造コストは低く、実用的な、新規性を具えるキセノンランプのコネクタの提供。【解決手段】座体３の周囲に間隔をあけて歯状のノブ部３１が設けられ、下方に小径の係合部３２が設けられ、係合部３２の周囲に対称な係止柱３２１が設けられ、係合部３２の下方に小円径の嵌合部３３が接続され、凹溝３３１が設けられ、中央に端子３４が埋め込まれ、嵌合部３３の周囲に金属環３５が嵌合され、異なる円径の上環体３５１と下環体３５２で構成され、上環体３５１及び端子の上段部が射出被覆方式で一体成形されて座体３に埋め込まれ、座体３内より導線３６、３７が外向きに延伸され並びにリード片３８に接続され、導線３６、３７間の距離の過度の接近或いはプラスチックガス等の因子により発生する短絡を防止するため、そのうち端子３４の導線３７の接続部がシュリンクフィルム３９で被覆され、確実な絶縁効果を達成する。【選択図】図３
0003109067.tif 000002
【実用新案登録請求の範囲】
【請求項１】
円形の座体を具え、該座体の下方に小径の係合部が設けられ、係合部の周囲に対称な係止柱が設けられ、該係合部の下方に小円径の嵌合部が接続され、該嵌合部に凹溝が設けられたキセノンランプのコネクタにおいて、
該嵌合部の凹溝の中央に端子が埋め込まれ、該嵌合部の周囲に金属環が嵌合され、該金属環が異なる円径の上環体と下環体で構成され、上環体及び端子の上段部が射出被覆方式で一体成形されて座体に埋め込まれ、並びに金属環の内側及び端子に外向きに延伸された導線が接続され、導線の別端にリード片が設けられ、座体が電源ソケットに嵌め置かれ、キセノンランプが点灯し、並びに電源ソケットの保護機能が保留されたことを特徴とする、キセノンランプのコネクタ。
【請求項２】
請求項１記載のキセノンランプのコネクタにおいて、座体に埋め込まれた端子は、その上段部に接続された導線が、シュリンクフィルムで被覆されて絶縁の効果が達成されたことを特徴とする、キセノンランプのコネクタ。
【考案の詳細な説明】
【技術分野】
【０００１】
本考案はキセノンランプのコネクタに係り、特に製造コストが低く、且つキセノンランプを組付けられ、もとの電源ソケットの保護機能も具えたコネクタに関する。
【背景技術】
【０００２】
キセノンランプは、高輝度、高明晰度の特性により、近年自動車用ランプに応用されるようになっている。周知のキセノンランプ１００の構造は図１に示されるようであり、それは円形座体１を具え、該円形座体１の上方にフランジ１１が設けられ、該フランジ１１の下方に係止柱１２１を具えた係合部１２が設けられ、並びに係合部１２の下方に凹溝１３１を具えた嵌合部１３が設けられ、該凹溝１３１内に端子１４が挿入され、係合部１２の周囲に接触環１５が嵌合され、端子１４及び接触環１５及び座体１内の弾性片１６、１７が接続され、バルブ１８が挿入された後に、座体１が変圧器２１に接続された電源ソケット２に嵌め込まれ、電源ソケット２に設けられた弾性片２２、２３と端子１４、接触環１５の接触により電源が導通しバルブ１８が点灯する。
【０００３】
前述の周知のキセノンランプ１００は、座体１の接触環１５が先に係合部１２に嵌合された後に、更に挿入された導線２０とハンダ付けされ、このため、組立が面倒で時間がかかり、且つハンダ付け部分の突起が使用上の問題を形成しやすく、また、長期の使用後や、製造工程中に、ハンダ付け部分が脱落し、大量に不良品が発生して、製造コストが増す。
【０００４】
更に、一般の車両はこの電源ソケット２を収容できないため、使用者は組付け時に、通常、図２に示されるように、変圧器２１の電源線を切断した後に直接キセノンランプ１００に接続する。しかし、電源ソケット２内に保護コイルが設けられているため、それを除去すると、保護機能が失われ、電圧に異常がある時、バルブの損壊を形成するため、改善が待たれている。
【考案の開示】
【考案が解決しようとする課題】
【０００５】
本考案の主要な目的は、一種のキセノンランプのコネクタを提供することにあり、それは、円形座体を具え、この座体の上端に歯状のノブ部が設けられ、該ノブ部の下方に係合部が接続され、該係合部の周囲に対称な係止柱が設けられ、該係合部の下方に嵌合部が接続され、該嵌合部に凹溝が設けられ、並びに凹溝中央に端子が埋め込まれ、嵌合部周囲に金属環が嵌合され、該金属環の上端が座体に埋め込まれ、環体内側及び端子が外向きに延伸された導線に接続され、導線にリード片が設けられ、使用時に、座体が電源ソケットに嵌合され、並びにリード片とキセノンランプの挿入端子が接続され、キセノンランプが点灯し、且つ電源ソケットの保護機能が保留される。
【０００６】
本考案のもう一つの目的は、一種のキセノンランプのコネクタを提供することにあり、該コネクタの端子及び金属環は射出被包方式で一体に形成され、ハンダ付けの面倒が免除され、組立に便利とされ、且つハンダ付け部分の突出により使用上の問題を形成することがない。
【課題を解決するための手段】
【０００７】
請求項１の考案は、円形の座体を具え、該座体の下方に小径の係合部が設けられ、係合部の周囲に対称な係止柱が設けられ、該係合部の下方に小円径の嵌合部が接続され、該嵌合部に凹溝が設けられたキセノンランプのコネクタにおいて、
該嵌合部の凹溝の中央に端子が埋め込まれ、該嵌合部の周囲に金属環が嵌合され、該金属環が異なる円径の上環体と下環体で構成され、上環体及び端子の上段部が射出被覆方式で一体成形されて座体に埋め込まれ、並びに金属環の内側及び端子に外向きに延伸された導線が接続され、導線の別端にリード片が設けられ、座体が電源ソケットに嵌め置かれ、キセノンランプが点灯し、並びに電源ソケットの保護機能が保留されたことを特徴とする、キセノンランプのコネクタとしている。
請求項２の考案は、請求項１記載のキセノンランプのコネクタにおいて、座体に埋め込まれた端子は、その上段部に接続された導線が、シュリンクフィルムで被覆されて絶縁の効果が達成されたことを特徴とする、キセノンランプのコネクタとしている。
【考案の効果】
【０００８】
本考案は埋め込まれた端子、金属環が設けられたコネクタにより、キセノンランプ組付け時に電源ソケットを保留して保護作用を達成でき、且つその製造コストは低く、実用的な設計であり、新規性を具えた設計に属する。
【考案を実施するための最良の形態】
【０００９】
図３、４に示されるように、本考案は、座体３を具え、該座体３の周囲に間隔をあけて歯状のノブ部３１が設けられ、該ノブ部３１の下方に小径の係合部３２が設けられ、係合部３２の周囲に対称な係止柱３２１が設けられ、該係合部３２の下方に小円径の嵌合部３３が接続され、該嵌合部３３に凹溝３３１が設けられ、該凹溝３３１の中央に端子３４が埋め込まれ、該嵌合部３３の周囲に金属環３５が嵌合され、該金属環３５が異なる円径の上環体３５１と下環体３５２で構成され、上環体３５１及び端子の上段部が射出被覆方式で一体成形されて座体３に埋め込まれ、更に座体３内より導線３６、３７が外向きに延伸され並びにリード片３８に接続され、且つ導線３６、３７間の距離の過度の接近或いはプラスチックガス等の因子により発生する短絡を防止するため、そのうち端子３４の導線３７の接続部がシュリンクフィルム３９で被覆され、確実な絶縁効果を達成する。
【００１０】
前述の部品の組合せにより、コネクタ２００が形成され、使用時に、座体３が電源ソケットに嵌入され、更にリード片３８とキセノンランプが接続され、端子３４及び金属環３５の導電により、キセノンランプが点灯し、且つ電源ソケットのもともとの保護機能が保留される。
【００１１】
図５に示されるように、本考案を使用する時は、コネクタ２００の座体３が電源ソケット２に嵌入され、ノブ部３１が回されることにより係止柱３２１が電源ソケット２に嵌合し、更にリード片３８がキセノンランプ１００の端子１９に挿入されて、電源ソケット２の電圧がコネクタ２００を通りキセノンランプ１００に伝送され、電源ソケット２が遠くに設置可能となり、こうして自動車用ランプの取り付けに応用可能となり、且つ電源ソケット２の保護作用を保留できる。
【図面の簡単な説明】
【００１２】
【図１】周知のキセノンランプの立体図である。
【図２】周知のキセノンランプのコネクタの実施例図である。
【図３】本考案の立体図である。
【図４】本考案の断面図である。
【図５】本考案の使用実施例図である。
【符号の説明】
【００１３】
１  座体                          ３  座体
１１  フランジ                    ３１  ノブ部
１２  係合部                      ３２  係合部
１２１  係止柱                    ３２１  係止柱
１３  嵌合部                      ３３  嵌合部
１３１  凹溝                      ３３１  凹溝
１４  端子                        ３４  端子
１５  接触環                      ３５  金属環
１６、１７  弾性片                ３５１  上環体
１８  バルブ                      ３５２  下環体
１９  端子                        ３６、３７  導線
２０  導線                        ３８  リード片
２  電源ソケット                  ３９  シュリンクフィルム
２１  変圧器                      １００  キセノンランプ
２２、２３  弾性片                ２００  コネクタ
【図１】
0003109067.tif 000003
【図２】
0003109067.tif 000004
【図３】
0003109067.tif 000005
【図４】
0003109067.tif 000006
【図５】
0003109067.tif 000007